(57)【要約】【課題】  ＡＤＦモードを使用して画像を読み取った場合に発生する読取輝度又は読取階調の低下を無くすことができるようにする。【解決手段】  濃度パッチが並べられた補正用原稿を読み取るプラテンモード及びＡＤＦモードを有するスキャナ部５０と、濃度パッチ毎の平均輝度（プラテンモード及びＡＤＦモード）から補正輝度及び階調補正γテーブルを算出する演算部４２と、ＡＤＦモードでの読取画像に対し輝度補正又は階調補正を実施する画像処理ブロック３１とを備え、異なる読取手段を用いたスキャナ部５０による読取画像レベルの差を無くすことができる。【選択図】      図２
2007019763.tif 000002
【特許請求の範囲】
【請求項１】
原稿が固定された状態で画像読取系を走査する第１の画像読取モードと、前記画像読取系を固定した状態で原稿が搬送される第２の画像読取モードを有して原稿画像を読み取る画像読取装置であって、
前記第１の画像読取モードに基づいて、補正用原稿を読み取って補正画像読取情報を取得する第１の画像読取手段と、
前記第２の画像読取モードに基づいて、前記補正用原稿を読み取って補正画像読取情報を取得する第２の画像読取手段と、
前記第１及び第２の画像読取手段によって取得された２つの前記補正画像読取情報に基づいて第２の画像読取モード実行時の補正情報を演算する演算手段と、
前記演算手段で演算された前記補正情報に基づいて前記第２の画像読取モード実行時の原稿読取情報を補正する画像処理手段とを備えることを特徴とする画像読取装置。
【請求項２】
前記演算手段は、
前記第１及び第２の画像読取手段によって取得された２つの前記補正画像読取情報から各濃度パッチにおける平均輝度を演算し、当該平均輝度に基づいて複数の濃度パッチ同士の差分を演算し、かつ、当該差分の平均値である補正輝度を演算する演算部を有し、
前記画像処理手段は、前記第２の画像読取モード実行時に、原稿読取情報を輝度・濃度変換用のテーブルに基づいて輝度・濃度変換処理を実行する場合であって、前記輝度・濃度変換用のテーブルに、前記補正輝度を演算して前記原稿読取情報を補正することを特徴とする請求項１に記載の画像読取装置。  
【請求項３】
前記演算手段は、
前記第１及び第２の画像読取手段によって取得された２つの前記補正画像読取情報から各濃度パッチにおける平均輝度を演算し、当該平均輝度に基づいて２つ階調補正用のテーブルを計算し、かつ、当該階調補正用のテーブルに基づいて階調補正変換用のテーブルを算出する演算部を有し、
前記画像処理手段は、前記第２の画像読取モード実行時に、原稿読取情報を輝度・濃度変換用のテーブルに基づいて輝度・濃度変換処理を実行する場合であって、前記階調補正変換用のテーブルに基づいて前記原稿読取情報を補正することを特徴とする請求項１に記載の画像読取装置。
【請求項４】
前記階調補正変換用のテーブルは、
前記第１の画像読取手段の読取輝度、及び前記第２の画像読取手段の読取輝度の２軸から成るテーブルであることを特徴とする請求項１又は３に記載のいずれかの画像読取装置。
【請求項５】
前記画像処理手段は、
前記第２の画像読取モード実行時、前記輝度・濃度変換処理を実行する前に、前記階調補正変換用のテーブルに基づいて原稿読取情報を補正することを特徴とする請求項１、３又は４に記載のいずれかの画像読取装置。
【請求項６】
原稿が固定された状態で画像読取系を走査する第１の画像読取モードと、前記画像読取系を固定した状態で原稿が搬送される第２の画像読取モードを有して原稿画像を読み取る画像処理方法であって、
前記第１の画像読取モード及び第２の画像読取モードに基づいて、複数の濃度パッチが並べられた補正用原稿を読み取って補正画像読取情報を取得するステップと、
取得された２つの前記補正画像読取情報に基づいて第２の画像読取モード実行時の補正情報を作成するステップと、
作成された前記補正情報に基づいて前記第２の画像読取モード実行時の原稿読取情報を補正するステップとを有することを特徴とする画像処理方法。
【請求項７】
前記第１及び第２の画像読取モードによって取得された２つの前記補正画像読取情報から各濃度パッチにおける平均輝度を演算し、当該平均輝度に基づいて複数の濃度パッチ同士の差分を演算し、かつ、当該差分の平均値である補正輝度を演算し、
前記第２の画像読取モード実行時に、原稿読取情報を輝度・濃度変換用のテーブルに基づいて輝度・濃度変換処理を実行する場合であって、前記輝度・濃度変換用のテーブルに、前記補正輝度を演算して前記原稿読取情報を補正することを特徴とする請求項６に記載の画像処理方法。
【請求項８】
前記第１及び第２の画像読取モードによって取得された２つの前記補正画像読取情報から各濃度パッチにおける平均輝度を演算し、当該平均輝度に基づいて２つ階調補正用のテーブルを計算し、かつ、当該階調補正用のテーブルに基づいて階調補正変換用のテーブルを算出し、
前記第２の画像読取モード実行時に、原稿読取情報を輝度・濃度変換用のテーブルに基づいて輝度・濃度変換処理を実行する場合であって、前記階調補正変換用のテーブルに基づいて前記原稿読取情報を補正することを特徴とする請求項６に記載の画像処理方法。
【請求項９】
前記第２の画像読取モード実行時に、前記輝度・濃度変換用のテーブルに、前記補正輝度を演算して前記原稿読取情報を補正する処理を第１の補正モードとし、
前記第２の画像読取モード実行時、前記階調補正変換用のテーブルに基づいて前記原稿読取情報を補正する処理を第２の補正モードとしたとき、
予め前記第１又は第２の補正モードを選択して設定するステップを有することを特徴とする請求項７及び８に記載の画像処理方法。
【発明の詳細な説明】
【技術分野】
【０００１】
この発明は、画像読取手段が異なる２つの画像読取モードにより原稿を読み取り、原稿読取情報を補正する機能を備えたスキャナ、デジタル複写機及びこれらの複合機に適用して好適な画像読取装置及び画像処理方法に関するものである。
【背景技術】
【０００２】
近年、任意の原稿を読み取る際に、原稿がプラテンガラスに固定され光学系を走査する画像読取モード（以下プラテンモードという）と光学系を固定し原稿が連続的に送り込まれる自動搬送装置（Auto Document Feeder；以下ＡＤＦという）を使用する画像読取モード（以下ＡＤＦモードという）を備えたスキャナ、デジタル複写機及びこれらの複合機が使用される場合が多くなってきた。例えば、スキャナは、ＡＤＦ、ＡＤＦモード用の原稿ガラス、プラテンモード用のプラテンガラス、ミラーユニット、撮像ユニット及び画像処理ユニットから成る画像読取手段を備えている。
【０００３】
ＡＤＦモードで原稿が読み取られる場合は、ＡＤＦにより原稿が搬送され、その間、所定の位置に固定されたミラーユニットにより光が下面側から原稿に照射され、原稿から反射された反射光はミラーユニットを介して撮像ユニットで受光される。
【０００４】
プラテンモードで原稿が読み取られる場合は、プラテンガラスに原稿が固定され、ミラーユニットが走査されることにより、光が下面側から原稿に照射され、原稿から反射された反射光は、ミラーユニットを介して撮像ユニットで受光される。撮像ユニットは、反射光を原稿読取信号に変換し、画像処理ユニットへ出力する。
【０００５】
画像処理ユニットは、原稿読取信号を画像データに変換し、その後、異なる画像読取手段で読み取られた画像に対して、読取画像レベルの差を無くすようにするために、画像処理を実施するようになされる。
【０００６】
この種のスキャナによれば、画像読取手段が異なることによって、読取画像レベルに差が生じないようにするために、読取輝度及び読取階調の補正が実施される。例えば、画像読取出力の増幅率を自動的に変化させたり、ＲＯＭにγ補正用テーブルを用意したりする場合が多い。これらの画像処理が実施されることにより、異なる画像読取手段によって、読取輝度や読取階調が低下することを少なくすることができるようになる。従って、異なる画像読取手段による画像レベルの差を少なくすることができるようになる。
【０００７】
このような画像読取機能を備えたスキャナに関連して、特許文献１には、画像読取装置が開示されている。この画像読取装置によれば、ハンディスキャナ単独で読み取ったハンディ態様及びＡＤＦにハンディスキャナを装着した状態で読み取った据置態様を画像読取手段に備え、異なる画像読取手段において読取画像レベルの差を無くすための制御手段として、読み取り用の光源の光量を自動的に変化させる手段や、ハンディ態様と据置態様とでそれぞれ専用のγ補正用ルックアップテーブルを使用する手段がなされている。このようにすることで、ハンディ態様及び据置態様での異なる画像読取手段でも、画像の読取階調に差が生じないようにしたというものである。
【０００８】
【特許文献１】特開平０７−２９８０４９号公報（第２頁、第６図）
【発明の開示】
【発明が解決しようとする課題】
【０００９】
ところで、従来例に係る画像読取装置によれば、特許文献１に見られるように、異なる画像読取手段で読み取られる画像に対して、実施される画像処理には次のような問題点がある。
【００１０】
ｉ．ＡＤＦやハンディスキャナを使用して原稿を読み取る場合に、発生する静電気等によって、原稿の紙粉、埃、ゴミなどが、原稿ガラスに付着する。それを防ぐために導体コートの塗布などを原稿ガラスに行うが、導体コートを塗布していないプラテンガラスと透過率が異なり読取輝度が低下する場合がある。
【００１１】
ii．さらに、ＡＤＦの通紙精度やハンディスキャナの動かし方により、原稿が原稿ガラスに密着しない場合にはフレアが発生し、原稿表面で照射光の乱反射が起こる恐れがある。その為、ＡＤＦモード及びハンディ態様の読取画像は、プラテンモードの読取画像に比べて読取階調が低下する。また、このフレアの影響は、画像読取装置によってＡＤＦの取り付け精度にバラツキがあるため、原稿表面に照射された光の反射具合が異なる。
【００１２】
そこで、本発明はこのような従来例に係る課題を解決したものであって、ＡＤＦモードを用いた場合に生じる読取輝度及び読取階調の低下を少なくすると共に、当該装置の製造バラツキに左右されることなく、プラテンモード及びＡＤＦモードにおける読取画像レベルの差を低減することができるようにした画像読取装置及び画像処理方法を提供することを目的とする。
【課題を解決するための手段】
【００１３】
上述した課題を解決するために、請求項１に記載の画像読取装置は、原稿が固定された状態で画像読取系を走査する第１の画像読取モードと、前記画像読取系を固定した状態で原稿が搬送される第２の画像読取モードを有して原稿画像を読み取る画像読取装置であって、前記第１の画像読取モードに基づいて、補正用原稿を読み取って補正画像読取情報を取得する第１の画像読取手段と、前記第２の画像読取モードに基づいて、前記補正用原稿を読み取って補正画像読取情報を取得する第２の画像読取手段と、前記第１及び第２の画像読取手段によって取得された２つの前記補正画像読取情報に基づいて第２の画像読取モード実行時の補正情報を演算する演算手段と、前記演算手段で演算された前記補正情報に基づいて前記第２の画像読取モード実行時の原稿読取情報を補正する画像処理手段とを備えることを特徴とするものである。
【００１４】
本発明に係る画像読取装置によれば、 第１の画像読取モードと第２の画像読取モードを有して原稿画像を読み取る場合に、第１の画像読取手段は、原稿が固定された状態で画像読取系が走査され、第２の画像読取手段は、画像読取系が固定された状態で原稿を搬送するようになされる。
【００１５】
演算手段は、第１及び第２の画像読取手段によって、取得された２つの補正画像読取情報の差に基づいて、第２の画像読取モード実行時の補正情報を演算するようになされる。画像処理手段は、演算手段で演算された補正情報に基づいて第２の画像読取モード実行時の原稿読取情報を補正するようになされる。
【００１６】
従って、第１及び第２の画像読取手段における画像読取情報の差を少なくするように補正できるようになる。これにより、当該装置の製造バラツキに左右されることなく、同一原稿を両画像読取モードで読み取った場合でも読取画像レベルの差を無くすことができるようになる。
【００１７】
本発明に係る請求項６に記載の画像処理方法は、原稿が固定された状態で画像読取系を走査する第１の画像読取モードと、前記画像読取系を固定した状態で原稿が搬送される第２の画像読取モードを有して原稿画像を読み取る画像処理方法であって、前記第１の画像読取モード及び第２の画像読取モードに基づいて、複数の濃度パッチが並べられた補正用原稿を読み取って補正画像読取情報を取得するステップと、取得された２つの前記補正画像読取情報に基づいて第２の画像読取モード実行時の補正情報を作成するステップと、作成された前記補正情報に基づいて前記第２の画像読取モード実行時の原稿読取情報を補正するステップとを有することを特徴とするものである。
【００１８】
本発明に係る画像処理方法によれば、第１の画像読取モード及び第２の画像読取モードを有して原稿画像を読み取る場合であって、第２の画像読取モード実行時に、第１及び第２の画像読取手段における画像読取情報の差を少なくするように補正できるようになる。
【発明の効果】
【００１９】
本発明に係わる画像読取装置によれば、予め演算された補正情報に基づいて第２の画像読取モード実行時の原稿読取情報を補正する画像処理手段を備え、この補正情報は、原稿が固定された状態で画像読取系を走査する第１の画像読取モードと、画像読取系を固定した状態で原稿が搬送される第２の画像読取モードに基づいて、補正用原稿を読み取って得た２つの補正画像読取情報の差に基づいて演算されたものである。
【００２０】
この構成によって、第１及び第２の画像読取手段における画像読取情報の差を少なくするように補正できるようになる。従って、当該装置の製造バラツキに左右されることなく、同一原稿を両画像読取モードで読み取った場合でも読取画像レベルの差を無くすことができるようになる。
【００２１】
本発明に係る画像処理方法によれば、原稿が固定された状態で画像読取系を走査する第１の画像読取モードと、画像読取系を固定した状態で原稿が搬送される第２の画像読取モードを有して原稿画像を読み取る場合、第２の画像読取モード実行時に、第１及び第２の画像読取モードにおける画像読取情報の差を少なくするように補正できるようになる。
【００２２】
この構成によって、当該装置の製造バラツキに左右されることなく、同一原稿を両画像読取モードで読み取った場合でも読取画像レベルの差を無くすことができるようになる。
【発明を実施するための最良の形態】
【００２３】
続いて、本発明に係る画像読取装置及び画像処理方法の一実施例について、図面を参照しながら説明をする。
【００２４】
図１は、本発明に係る実施例としてのスキャナ１００の構成例を示す概念図である。
【００２５】
図１に示すスキャナ１００は、原稿が固定された状態で画像読取系を走査する第１の画像読取モードと、画像読取系を固定した状態で原稿が搬送される第２の画像読取モードを有して原稿画像を読み取る画像読取装置であり、スキャナ部５０、制御ユニット６及び操作パネル７が備えられている。
【００２６】
スキャナ部５０は、原稿搬送装置１、防塵ガラス２、プラテンガラス３、ミラーユニット４、結像レンズ２４及び撮像装置５が備えられている。
【００２７】
第１の画像読取モード（以下プラテンモードという）とは、プラテンガラス３に原稿が固定された状態で、ミラーユニット４が走査され、原稿が読み取られる動作をいう。第２の画像読取モード（以下ＡＤＦモードという）とは、ミラーユニット４が固定された状態で、原稿搬送装置１が原稿を搬送し、原稿が読み取られる動作をいう。
【００２８】
第１の画像読取手段は、画像読取系を構成しプラテンモードで補正用原稿を読み取り、読取画像の補正情報を取得するものである。第２の画像読取手段は、画像読取系を構成しＡＤＦモードで補正用原稿を読み取り、読取画像の補正情報を取得するものである。
【００２９】
この実施例では、ＡＤＦモードで原稿を読み取る場合に、第１の補正モードと第２の補正モードが準備されており、この２者択一が可能となされている。
【００３０】
第１の補正モードでは、ＡＤＦモードの場合に、輝度・濃度変換γテーブル（輝度補正なし）の読取輝度に対して、補正輝度を減算して算出された輝度・濃度変換γテーブル（輝度補正込み）に基づいて画像データＤ２を補正することにより輝度補正が実施される。第２の補正モードでは、ＡＤＦモードの場合に、階調補正γテーブルに基づいて画像データＤ２を補正することにより階調補正が実施される。
【００３１】
操作パネル７は、例えば、原稿補正モード、第１及び第２の補正モードの選択ボタンが備えられおり、オペレータによってモード選択が実施されると、制御ユニット６に各操作データが出力される。原稿補正モードとは、プラテンモード及びＡＤＦモードで、補正用原稿が読み取られ、補正情報が取得される動作をいう。
【００３２】
原稿搬送装置１には、給紙ローラ１１、ガイド板１３及び排紙ローラ１２が備え付けられている。原稿搬送装置１は、原稿１０を給紙ローラ１１から給紙し、ガイド板１３と防塵ガラス２の間に通紙し、最後に排紙ローラ１２により白抜き矢印で示している原稿送り方向に排紙するようになされる。
【００３３】
ミラーユニット４には、照明装置２２及びミラー２３が備え付けられている。照明装置２２が光を原稿１０に照射し、原稿１０からの反射光はプラテンガラス３又は防塵ガラス２を通じてミラー２３などによって反射され、結像レンズ２４に入射される。例えば、ミラーユニット４は、ＡＤＦモードにより画像が読み取られる場合は、所定の位置に固定されて使用され、プラテンモードによって画像が読み取られる場合には走査して使用される。
【００３４】
防塵ガラス２は、導体コート２０及び原稿ガラス２１を有しており、例えば、原稿１０と原稿ガラス２１の摩擦により静電気が発生して、原稿の紙粉や埃などが原稿ガラス２１に付着してしまうのを防ぐために原稿ガラス２１に導体コート２０が塗布されたものである。
【００３５】
撮像装置５は、結像レンズ２４を通過して結像された反射光を受光し、画像読取信号Ｓ１へ変換するようになされる。プラテンガラス３は、プラテンモードで原稿が読み取られる場合に使用される。例えば、原稿がプラテンガラスに固定された状態で、ミラーユニット４が走査されて原稿が読み取られる。結像レンズ２４は、ミラーユニット４から出射された反射光を結像し、結像された反射光を撮像装置５に出射するようになされる。
【００３６】
図２は、スキャナ１００の制御系の構成例を示すブロック図である。図２に示すスキャナ１００において、制御ユニット６は、スキャナ部５０に接続されている。
【００３７】
制御ユニット６は、画像読取ブロック３０及び画像処理ブロック３１を有している。画像読取ブロック３０は、アナログ・デジタル（以下Ａ／Ｄという）変換回路４０及びシェーディング補正回路４１を有している。
【００３８】
Ａ／Ｄ変換回路４０は、撮像装置５に接続され画像読取信号Ｓ１をＡ／Ｄ変換し画像データＤ１とするようになされる。シェーディング補正回路４１は、Ａ／Ｄ変換回路４０に接続され、画像データＤ１に対しシェーディング補正処理を実施し、画像データＤ２を画像処理ブロック３１に出力するようになされる。例えば、シェーディング補正処理では、照射の不均一などにより生じる光量分布のムラを補正するようになされる。
【００３９】
画像処理ブロック３１は、画像処理手段及び演算手段の一例を構成し、演算部４２、階調補正部４３、輝度補正部４４、輝度・濃度変換部４５、輝度・濃度変換γテーブル格納メモリ４６、階調補正γテーブル格納メモリ４７、補正輝度格納メモリ４８、セレクタ９０及びセレクタ９１を有している。
【００４０】
演算部４２では、プラテンモード及びＡＤＦモードで取得された補正用原稿の画像データＤ２から各濃度パッチにおける平均輝度が演算され、当該平均輝度に基づいて複数の濃度パッチ同士の差分が演算され、かつ、当該差分の平均値である補正輝度が演算される。また、平均輝度に基づいて２つ階調特性テーブルが計算され、かつ、当該階調特性テーブルに基づいて階調補正変換用の階調補正γテーブルが算出される。
【００４１】
画像処理ブロック３１では、ＡＤＦモードの場合に、画像データＤ２を輝度・濃度変換γテーブルに基づいて輝度・濃度変換処理を実行する場合であって、輝度・濃度変換γテーブルの読取輝度に補正輝度を減算して、画像データＤ２を補正し、また、階調補正γテーブルに基づいて画像データＤ２を補正する。
【００４２】
階調補正部４３は、セレクタ９１及びセレクタ９０を介してシェーディング補正回路４１に接続される。階調補正部４３は、例えば、第２の補正モードが設定されたスキャナ１００において、ＡＤＦモードで画像が読み取られた場合に、階調補正γテーブル格納メモリ４７から階調補正γテーブル（図７）を参照し、シェーディング補正回路４１から出力された画像データＤ２に対して、ＡＤＦモードの読取輝度をプラテンモードの読取輝度に変換することによって階調補正を実施するようになされる。
【００４３】
階調補正γテーブル格納メモリ４７は、演算部４２及び階調補正部４３に接続され、演算部４２によって作成された階調補正γテーブルが保存され、階調補正部４３によって、例えば、第２の補正モードが設定されたスキャナ１００において、ＡＤＦモードで画像が読み取られた場合に、階調補正γテーブルが参照される。
【００４４】
輝度補正部４４は、輝度・濃度変換部４５に接続され、例えば、第１の補正モードが設定されたスキャナ１００において、ＡＤＦモードで画像が読み取られた場合に、輝度・濃度変換部４５に輝度補正が実施された輝度・濃度変換γテーブル（図５）を作成するように要求される。
【００４５】
そして、輝度補正部４４は、テーブル作成の要求があると、補正輝度格納メモリ４８から補正輝度を読み出し、輝度・濃度変換γテーブル格納メモリ４６から輝度補正が実施されていない輝度・濃度変換γテーブル（図５）を参照し、輝度・濃度変換γテーブルの読取輝度（０〜１０２４）に対して補正輝度を減算する。減算された読取輝度に対応する出力濃度は、プラテンモードの出力濃度が使用されて、輝度・濃度変換γテーブル（輝度補正込み）が作成され、輝度・濃度変換γテーブル格納メモリ４６の空き領域に保存される。その結果、出力濃度は変わらずに、読取輝度が補正輝度の分だけ低下した輝度・濃度変換γテーブル（輝度補正込み）が作成される。これにより、ＡＤＦモードの場合に読取輝度が低下した場合でも輝度補正することができるようになる。
【００４６】
補正輝度格納メモリ４８は、演算部４２及び輝度補正部４４に接続される。補正輝度格納メモリ４８は、演算部４２によって作成された補正輝度が保存され、輝度・濃度変換γテーブル（輝度補正込み）が作成される場合に、輝度補正部４４によって、補正輝度が呼び出される。
【００４７】
輝度・濃度変換部４５は、セレクタ９１及びセレクタ９０を介してシェーディング補正回路４１に接続され、シェーディング補正回路４１から出力される画像データＤ２の読取輝度を出力濃度へ変換するようになされる。
【００４８】
例えば、第１の補正モードが設定されたスキャナ１００において、ＡＤＦモードで画像が読み取られた場合、輝度・濃度変換部４５は、輝度・濃度変換γテーブル格納メモリ４６から輝度・濃度変換γテーブル（輝度補正込み）を参照する。  それ以外の場合（プラテンモード、第２の補正モード及びＡＤＦモード）には、予め用意された輝度・濃度変換γテーブル（輝度補正なし）を参照して輝度・濃度変換を実施するようになされる。輝度・濃度変換γテーブル（輝度補正込み）が、輝度・濃度変換部４５によって参照されることによって、ＡＤＦモードの読取輝度の低下を補正することができるようになる。
【００４９】
輝度・濃度変換γテーブル格納メモリ４６は、輝度・濃度変換部４５及び輝度補正部４４に接続される。輝度・濃度変換γテーブル格納メモリ４６には、予め用意された輝度・濃度変換γテーブル（輝度補正なし）が格納されているが、例えば、第１の補正モードが設定されたスキャナ１００において、ＡＤＦモードで画像が読み取られた場合に、輝度補正部４４によって、輝度・濃度変換γテーブル（輝度補正込み）が作成され、輝度・濃度変換γテーブル格納メモリ４６の空き領域に保存される。
【００５０】
演算部４２は、セレクタ９０を介してシェーディング補正回路４１に接続される。演算部４２は、操作パネル７により原稿補正モードが指定され、補正用原稿がプラテンモード及びＡＤＦモードで読み取られた場合に、階調補正γテーブル及び補正輝度を算出するようになされる。
【００５１】
その後、演算部４２によって、階調補正γテーブルは階調補正γテーブル格納メモリ４４へ、補正輝度は補正輝度格納メモリ４５へ保存される。算出された階調補正γテーブルは、例えば、第２の補正モード及びＡＤＦモード場合に、階調補正部４３に参照されて階調補正に使用され、補正輝度は、例えば、第１の補正モード及びＡＤＦモード場合に、輝度補正部４４に呼び出され輝度補正に使用される。
【００５２】
操作部３２は、操作パネル７により実行されると、操作データ、例えば、原稿補正モードを設定するための操作データをＤh、第１の補正モードを設定するための操作データをＤi、第２の補正モードを設定するための操作データをＤjとしたとき、これらの操作データＤh、Ｄi及びＤjをセレクタ９０、セレクタ９１又は輝度・濃度変換部４５に出力するようになされる。
【００５３】
セレクタ９０は、シェーディング補正回路４１及び操作部３２に接続され、操作部３２から原稿補正モードの操作データＤhを受信すると、画像データＤ２を演算部４２に出力するように切り替えられる。これにより、補正用原稿をプラテンモード及びＡＤＦモードで読み取った場合に、演算部３２によって補正輝度及び階調補正γテーブルが作成される。
【００５４】
セレクタ９１は、階調補正部４３、操作部３２及びセレクタ９０を介してシェーディング補正回路４１に接続される。そして、セレクタ９１は、第２の補正モードの場合に、位置検出センサ（図示しない）からＡＤＦモードの位置検出データ（図示しない）を受信すると画像データＤ２を階調補正部４３に出力するように切り替えられ、プラテンモードの位置検出データ（図示しない）を受信すると画像データＤ２を輝度・濃度変換部４５に出力するように切り替えられる。これにより、ＡＤＦモードの場合に階調補正処理が実施されるようになる。
【００５５】
また、操作部３２から操作データＤiを受信すると、第１の補正モードでは階調補正処理を実施しないため、ＡＤＦモードの画像データＤ２は、階調補正部４２を介さずに輝度・濃度変換部４５に出力するように切り替えられ、操作データＤjを受信すると、第２の補正モードでは階調補正を実施するため、ＡＤＦモードの画像データＤ２は階調補正部４３に出力されるようになる。これにより、画像データＤ２は、ＡＤＦモードの場合に第１の補正モードでは階調補正部４３に出力されず、第２の補正モードでは階調補正部４３に出力されるようになる。
【００５６】
このようにスキャナ１００を構成すると、例えば、ＡＤＦモードで使用する防塵ガラス２により読取輝度が低下する場合や、ＡＤＦモードの場合にフレアの発生により読取階調が低下する場合でも、画像読取手段が異なることによって生じる読取輝度及び読取階調の差を補正することができる。また、機械の製造バラツキに左右されることなく、同一原稿を両画像読取モードで読み取った場合でも読取画像レベルの差を無くすことができるようになる。
【００５７】
図３は、濃度パッチが並べられた補正用原稿の構成例を示す概念図である。図３に示す補正用原稿は、例えば、濃度Ａから濃度Ｙまでの濃度パッチが、一定間隔で並べられており、濃度Ａの画素が最も薄く、濃度Ｂ、濃度Ｃ・・・濃度Ｙへと段々濃くなるように構成されている。全ての濃度パッチは、縦方向にＭ画素、横方向にＮ画素ほど画素が敷き詰められている。
【００５８】
続いて、一実施例としての補正用原稿を準備し、平均輝度及び補正輝度の算出方法を記述する。
【００５９】
スキャナ１００を操作パネル７によって原稿補正モードに移行し、一定間隔に濃度パッチが並べられた補正用原稿が、プラテンモード及びＡＤＦモードによって読み取られる。その後、取得された読取画像の画像データＤ２は、演算部４２に出力され、各濃度パッチの領域における平均輝度が算出される。
【００６０】
例えば、縦方向にＭ画素、横方向にＮ画素ほど並べられた濃度パッチを読み取って得られた補正画像読取情報を利用して式（１）及び（２）により各々の平均輝度が算出される。式（１）及び（２）において、Ｄ（ｋ＝Ａ〜Ｙ）ＭＮは、対応する行列画素の画像データである。
【００６１】
＜プラテンモード読取時の各濃度パッチにおける平均輝度の算出方法＞
プラテンモードの濃度Ａ〜Ｙの平均輝度は、式（１）から求められる。Ｄ１Ａ〜Ｄ１Ｙは、プラテンモードでの各濃度パッチにおける平均輝度である。
【００６２】
濃度Ａ平均輝度Ｄ１Ａ  ＝  （ＤＡ１１＋・・・＋ＤＡ１Ｎ＋ＤＡ２１＋・・・＋ＤＡ２Ｎ＋・・・＋ＤＡＭ１＋・・・＋ＤＡＭＮ）／Ｍ×Ｎ
濃度Ｂ平均輝度Ｄ１Ｂ  ＝  （ＤＢ１１＋・・・＋ＤＢ１Ｎ＋ＤＢ２１＋・・・＋ＤＢ２Ｎ＋・・・＋ＤＢＭ１＋・・・＋ＤＢＭＮ）／Ｍ×Ｎ
・
・
・
濃度Ｙ平均輝度Ｄ１Ｙ  ＝  （ＤＹ１１＋・・・＋ＤＹ１Ｎ＋ＤＹ２１＋・・・＋ＤＹ２Ｎ＋・・・＋ＤＹＭ１＋・・・＋ＤＹＭＮ）／Ｍ×Ｎ  
・・・（１）
＜ＡＤＦモード読取時の各濃度パッチにおける平均輝度の算出方法＞
ＡＤＦモードの濃度Ａ〜Ｙの平均輝度は、式（２）から求められる。Ｄ２Ａ〜Ｄ２Ｙは、ＡＤＦモードでの各濃度パッチにおける平均輝度である。
【００６３】
濃度Ａ平均輝度Ｄ２Ａ  ＝  （ＤＡ１１＋・・・＋ＤＡ１Ｎ＋ＤＡ２１＋・・・＋ＤＡ２Ｎ＋・・・＋ＤＡＭ１＋・・・＋ＤＡＭＮ）／Ｍ×Ｎ
濃度Ｂ平均輝度Ｄ２Ｂ  ＝  （ＤＢ１１＋・・・＋ＤＢ１Ｎ＋ＤＢ２１＋・・・＋ＤＢ２Ｎ＋・・・＋ＤＢＭ１＋・・・＋ＤＢＭＮ）／Ｍ×Ｎ
・
・
・
濃度Ｙ平均輝度Ｄ２Ｙ  ＝  （ＤＹ１１＋・・・＋ＤＹ１Ｎ＋ＤＹ２１＋・・・＋ＤＹ２Ｎ＋・・・＋ＤＹＭ１＋・・・＋ＤＹＭＮ）／Ｍ×Ｎ  
・・・（２）
なお、式（１）及び（２）の平均輝度の算出方法は、一実施例であり、平均輝度の算出方法は濃度パッチの全領域ではなく、一部領域の平均から求める場合も想定される。
【００６４】
次に、算出された平均輝度（プラテンモード及びＡＤＦモード）を用いて、補正輝度の算出方法を説明する。
補正輝度を算出する計算式は式（３）に示される。
補正輝度  ＝  （（Ｄ１Ａ−Ｄ２Ａ）＋（Ｄ１Ｂ−Ｄ２Ｂ）＋・・・＋（Ｄ１Ｙ−Ｄ２Ｙ））／総濃度パッチ数    ・・・（３）
上記計算式（３）は、算出された濃度Ａ平均輝度から濃度Ｙ平均輝度において、プラテンモード及びＡＤＦモードの同一濃度の濃度パッチ同士での平均輝度の差分を求め、その平均を取ることにより得られたものである。
【００６５】
なお、式（１）〜（３）は、演算部４２で計算され、補正輝度は、演算部４２によって補正輝度格納用メモリ４８に保存され、読取輝度を補正する場合に使用される。
【００６６】
図４は、プラテンモードに対してＡＤＦモードにおける読取輝度の低下イメージ例を示す図である。図４に示す読取輝度の低下イメージ例は、横軸に原稿輝度（０〜２５６）、縦軸に読取輝度（０〜２５６）が設定されている。ＡＤＦモードとプラテンモードのそれぞれで補正用原稿が読み取られ、ＡＤＦモードとプラテンモードの読取輝度と原稿輝度の関係が表されている。同一の原稿輝度に対して、ＡＤＦモードは、防塵ガラス２を使用することにより透過率が低くなるため、ＡＤＦモードにおける読取輝度は、プラテンモードにおける読取輝度よりも低下するイメージ例を表している。
【００６７】
ここでは、原稿浮きにより発生するフレアが原因で読取階調が低下することが加味されていない。実際には、ＡＤＦモードは、原稿が防塵ガラス２に密着しないことにより発生するフレアが原因により、原稿表面で照射光の乱反射が起こり、プラテンモードに比べて読取階調が低下する。その為、図４で見られるようにＡＤＦモードとプラテンモードの読取輝度の差は一定にはならない。図６で詳細に説明するが、例えば、読取輝度が低い場合は、プラテンモードの読取輝度に比べてＡＤＦモードの読取輝度が高くなり、読取輝度が高くなると、ＡＤＦモードに比べてプラテンモードの読取輝度が高くなることがある。
【００６８】
図５は、プラテンモード及びＡＤＦモードにおける輝度・濃度変換γテーブル例を示す図である。図５に示す輝度・濃度変換γテーブル例は、横軸に読取輝度（０〜１０２４）、縦軸に出力濃度（０〜２５６）が設定されている。輝度・濃度変換γテーブル（輝度補正なし）は、予め、輝度・濃度変換γテーブル格納メモリ４２に保存されているが、ＡＤＦモード時に輝度補正を実施するための輝度・濃度変換γテーブル（輝度補正込み）は保存されていない。そこで、例えば、第１の補正モードが設定さる場合に、輝度補正部４４によって補正輝度格納メモリ４８から補正輝度が読み出される。
【００６９】
そして、輝度補正部４４は、輝度・濃度変換γテーブル格納メモリ４６から予め用意された輝度・濃度変換γテーブル（輝度補正なし）を参照し、輝度・濃度変換γテーブルの読取輝度（０〜１０２４）に対して補正輝度を減算し、減算された読取輝度に対応する出力濃度はプラテンモードの出力濃度が使用され、輝度・濃度変換γテーブル格納メモリ４６の空き領域に保存する。
【００７０】
その結果、作成された輝度・濃度変換γテーブル（輝度補正込み）は、ＡＤＦモードのときに輝度補正が実施される場合に、輝度・濃度変換部４５によって参照され、輝度・濃度変換が実施される。
【００７１】
具体的には、輝度・濃度変換γテーブルによると、例えば、プラテンモードの読取輝度＝１２８で、それに対して出力濃度＝１５８が出力され、ＡＤＦモードの読取輝度＝１１８で、それに対して出力濃度＝１５８が出力されている。
【００７２】
これにより、同じ出力濃度＝１５８に対して、ＡＤＦモードの読取輝度＝１１８がプラテンモードの読取輝度＝１２８よりも低い値になっており、ＡＤＦモードの読取輝度の低下が補正されていることが分かる。
【００７３】
図６は、原稿輝度と読取輝度（プラテンモード及びＡＤＦモード）の関係から階調特性テーブル例を示す図である。図６に示す階調特性テーブル例は、横軸に原稿輝度（０〜２５６）、縦軸に読取輝度（０〜２５６）が設定されている。原稿補正モードの場合に、プラテンモード及びＡＤＦモードで補正用原稿（図３）が読み取られ、その後、演算部４２によってプラテンモード及びＡＤＦモードの読取輝度が算出され、原稿輝度と算出された読取輝度（プラテンモード及びＡＤＦモード）の関係が表されたテーブルである。例えば、原稿輝度＝６４の場合、プラテンモードの読取輝度＝８４であり、ＡＤＦモードの読取輝度＝９０である。この場合、ＡＤＦモード＝９０をプラテンモード＝８４に補正する必要があることを意味している。
【００７４】
読取輝度低下イメージ（図４）と比較すると、読取輝度低下イメージでは、プラテンモードとＡＤＦモードの読取輝度の差は一定であるが、階調特性テーブルによると、原稿輝度が１２８くらいまではＡＤＦモードのほうがプラテンモードよりも読取輝度が大きく、１２８を境にしてプラテンモードのほうがＡＤＦモードよりも読取輝度が大きくなっている。これは、ＡＤＦモードの原稿浮きにより発生するフレアが原因であると考えられる。そこで、この階調特性テーブルからフレアを解決するために、ＡＤＦモードの読取輝度をプラテンモードの読取輝度に変換するための階調補正γテーブル（図７）が算出される。
【００７５】
図７は、プラテンモード及びＡＤＦモードの読取輝度の関係を表す階調補正γテーブル例を示す図である。図７に示す階調補正γテーブル例は、プラテンモード及びＡＤＦモードで補正用原稿が読み取られ、縦軸にＡＤＦモードの読取輝度（０〜２５６）、横軸にプラテンモードの読取輝度（０〜２５６）が設定され、プラテンモード及びＡＤＦモードの読取輝度の関係が表されたテーブルである。
【００７６】
階調補正部４３は、例えば、第２の補正モードが設定されたスキャナ１００において、ＡＤＦモードで画像が読み取られた場合に、階調補正γテーブル格納メモリ４７から階調補正γテーブルを参照して、ＡＤＦモードの読取輝度をプラテンモードの読取輝度に変換する。具体的には上述の例でいうと、階調補正γテーブルによれば、例えば、ＡＤＦモードでの読取輝度＝９０は、プラテンモードでの読取輝度＝８４に変換されている。これにより、プラテンモードに対してＡＤＦモードの読取階調が低下することを防ぐことができるようになる。
【００７７】
また、ＡＤＦモードの場合に、輝度・濃度変換部４５により輝度が濃度に変換される前段階で、階調補正部４３は、階調補正γテーブルに基づいて画像データＤ２を補正する必要がある。
【００７８】
次に、本発明に係る画像読取手段の補正方法について、当該スキャナ１００における補正処理例を説明する。まず最初に、当該スキャナ１００の読取画像補正を実施するために必要な補正輝度及び階調補正γテーブル作成方法について、フローチャートを使用し実施例を用いて記述する（図８、図９）。
【００７９】
＜補正輝度の算出＞
図８は、スキャナ１００における補正輝度の算出例を示すフローチャートである。
【００８０】
補正用原稿には図３に示したものが使用され、予め準備される場合を例に挙げる。補正用原稿の原稿輝度は予め算出されているものとする。
【００８１】
これらを読取画像の補正処理条件として、図８に示すフローチャートのステップＰ１で、オペレータは、当該スキャナ１００を操作パネル７で原稿補正モードを選択すると、操作部３２から操作データＤhがセレクタ９０に送信され、セレクタ９０は、演算部４２に画像データＤ２が出力されるように切り替えられる。続いて、プラテンガラス３に補正用原稿をセットし、原稿の読み取りを開始する。
【００８２】
例えば、補正用原稿がプラテンガラス３の上にセットされ、原稿読取がスタートされると、ミラーユニット４は所定の位置から水平方向へ移動し、その間、照明装置２２からの光によって補正用原稿が照射され、補正用原稿が照射されることによって得られた反射光が、プラテンガラス３を通過しミラーユニット４へ入射され、ミラー２３などにより反射され結像レンズ２４に出射される。
【００８３】
結像レンズ２４に入射された反射光は、結像レンズ２４により結像され、撮像装置５に出射される。反射光を受光した撮像装置５は、反射光を画像読取信号Ｓ１に変換し、Ａ／Ｄ変換回路４０に出力する。Ａ／Ｄ変換回路４０は、画像読取信号Ｓ１をＡ／Ｄ変換し、画像データＤ１としてシェーディング補正回路４１に出力する。シェーディング補正回路４１は、画像データＤ１にシェーディング補正処理を実施し、画像データＤ２とし、画像処理ブロック３１に出力する。画像処理ブロック３１に出力された画像データＤ２は、セレクタ９０によって演算部４２に出力される。
【００８４】
次に、ステップＰ２で、演算部４２は、取得した画像データＤ２から上述した計算式（１）の方法でプラテンモード読取時の各濃度パッチにおける平均輝度を算出し、画像処理ブロック３１内のワークメモリ（図示しない）に保存する。ステップＰ３に移行して、オペレータは、原稿搬送装置１に補正用原稿をセットし、原稿の読み取りを開始する。
【００８５】
例えば、補正用原稿は原稿搬送装置１にセットされ、原稿読取をスタートさせると、ミラーユニット４が所定の位置に固定され、原稿１０が給紙ローラ１１によって給紙され、ガイド板１３と防塵ガラス２の間に送紙され、排紙ローラ１２によって白抜き矢印で示している原稿送り方向に排紙される。その間、照明装置２２からの光によって補正用原稿が照射され、補正用原稿が照射されることによって得られた反射光が防塵ガラス２を通過し、ミラーユニット４へ入射されミラー２３などにより反射され結像レンズ２４に出射される。
【００８６】
結像レンズ２４に入射された反射光は、結像レンズ２４により結像され、撮像装置５に出射される。反射光を受光した撮像装置５は、反射光を画像読取信号Ｓ１に変換し、Ａ／Ｄ変換回路４０に出力する。Ａ／Ｄ変換回路４０は、画像読取信号Ｓ１をＡ／Ｄ変換し、画像データＤ１としてシェーディング補正回路４１に出力する。シェーディング補正回路４１は、画像データＤ１にシェーディング補正処理を実施し、画像データＤ２とし、画像処理ブロック３１に出力する。画像処理ブロック３１に出力された画像データＤ２は、セレクタ９０によって演算部４２に出力される。
【００８７】
次に、ステップＰ４で、演算部４２は、取得した画像データＤ２から上述した計算式（２）の方法でＡＤＦモード読取時の各濃度パッチにおける平均輝度を算出し、画像処理ブロック３１内のワークメモリ（図示しない）に保存する。
【００８８】
その後、ステップＰ５に移行し、ステップＰ２で算出された濃度パッチ毎の平均輝度（プラテンモード読取時）とステップＰ４で算出された濃度パッチ毎の平均輝度（ＡＤＦモード読取時）から、同一濃度パッチ毎の平均輝度の差分を計算し、それらの差分を合計したものを総濃度パッチ数で割り、得られた値を補正輝度とし、補正輝度格納用メモリ４８に演算部４２によって保存される。
【００８９】
＜階調補正γテーブル作成＞
図９は、スキャナ１００における階調補正γテーブル作成例を示すフローチャートである。
【００９０】
補正用原稿には図３に示したものが使用され、予め準備される場合を例に挙げる。補正用原稿の原稿輝度は予め算出されているものとする。
【００９１】
これらを読取画像の補正処理条件として、図９に示すフローチャートのステップＲ１で、オペレータは、当該スキャナ１００を操作パネル７で原稿補正モードを選択すると、操作部３２から操作データＤhがセレクタ９０に送信され、セレクタ９０は、演算部４２に画像データＤ２が出力されるように切り替えられる。続いて、プラテンガラス３に補正用原稿をセットし、原稿の読み取りを開始する。原稿の読み取り方法は、図８のプラテンモードでの原稿読取方法と同じなので、ここでは省略する。
【００９２】
次に、オペレータは、原稿搬送装置１に補正用原稿をセットし、原稿の読み取りを開始する。原稿の読み取り方法は、図８のＡＤＦモードでの原稿読取方法と同じなので、ここでは省略する。
【００９３】
次に、当該スキャナ１００はステップＲ２で、演算部４２は、プラテンモード及びＡＤＦモードの各画像データＤ２について、濃度パッチ毎の平均輝度（プラテンモード及びＡＤＦモード読取時）を算出し、算出されたプラテンモード及びＡＤＦモード読取時の平均輝度（読取輝度）と原稿の平均輝度（原稿輝度）の関係を表す読取階調特性テーブルを作成する。
【００９４】
その後、ステップＲ３に移行して、演算部３２によって、ステップＲ２で作成されたプラテンモード及びＡＤＦモードの階調特性を特徴とするテーブルから階調補正γテーブルが作成される。
【００９５】
例えば、第２の補正モード及びＡＤＦモードの場合に、階調補正部４３が、階調補正γテーブルを参照することによって、ＡＤＦモードの読取輝度がプラテンモードの読取輝度に変換され、ＡＤＦモードの読取階調が低下することを無くすことができるようになる。
【００９６】
続いて、図８で算出された補正輝度を使用して、スキャナ１００’における読取画像の輝度補正処理について説明する。
【実施例１】
【００９７】
図１０は、第１の実施例としてのスキャナ１００’における制御系の構成例を示すブロック図である。図１０に示すスキャナ１００’は、読取画像の補正処理として、階調補正処理を実施せずに、輝度補正処理のみを実施するため、スキャナ１００の画像処理ブロック３１と比較して、階調補正部４３、階調補正γテーブル格納メモリ４７及びセレクタ９１が省略される。つまり、スキャナ１００’は、制御ユニット６a、画像処理ブロック３１a及び操作部３２aを有して構成される。
【００９８】
図１１は、第１の実施例としてのスキャナ１００’における輝度補正処理例を示すフローチャートである。この実施例では、スキャナ１００’においてＡＤＦモードでの読取画像を補正輝度格納メモリ４８に保存されている補正輝度を用いて補正する場合を前提とする。
【００９９】
また、補正輝度の算出は、当該スキャナ１００’の製造過程、あるいは当該スキャナ１００’をサービスマンによるメンテナンスなどにおいて実施される場合を想定する。
【０１００】
これらを読取画像の補正処理条件として、図１１に示すフローチャートのステップＱ１で、オペレータがＡＤＦモードで原稿の読み取りをスタートさせると、位置検出センサ（図示しない）は、ＡＤＦモードの位置検出データ（図示しない）をスキャナ１００’の制御ユニット６aに出力することで、ＡＤＦモードでの画像読取手段であることを通知する。
【０１０１】
続いて、ステップＱ２に移行し、制御ユニット６aに送信されたＡＤＦモードの位置検出データは、輝度・濃度変換部４５に出力され、輝度・濃度変換部４５は、輝度補正部４４に輝度・濃度変換γテーブル（輝度補正込み）を作成するように要求する。
【０１０２】
輝度補正部４４は、補正輝度格納メモリ４８から補正輝度を読み出し、輝度・濃度変換γテーブル格納メモリ４６から輝度・濃度変換γテーブル（輝度補正なし）を参照する。そして、輝度補正部４４は、輝度・濃度変換γテーブルの読取輝度（０〜１０２４）に対して補正輝度を減算し、減算された読取輝度に対応する出力濃度はプラテンモードの出力濃度をそのまま使用し、輝度・濃度変換γテーブル（輝度補正込み）が作成され、輝度・濃度変換γテーブル格納メモリ４６の空き領域に保存するようになされる。
【０１０３】
これにより、輝度・濃度変換γテーブル（輝度補正なし）を補正し、新たに作成された輝度・濃度変換γテーブル（輝度補正込み）は、プラテンモードと同じ出力濃度を使用し、出力濃度に対応する入力輝度のみが減算されることにより、低下した入力輝度に対して、出力濃度は変化させずに出力されるようになる。従って、ＡＤＦモードでの読取輝度の低下を無くすことができるようになる。
【０１０４】
ステップＱ３では、ＡＤＦモードで原稿の読み取りが開始される。原稿の読み取り方法は、図８のＡＤＦモードでの原稿読取方法と同じなので、ここでは省略する。
【０１０５】
その後、ステップＱ４に移行し、輝度・濃度変換部４５は、シェーディング補正回路４１から出力された画像データＤ２に対し、ＡＤＦモードの位置検出データにより輝度・濃度変換γテーブル（輝度補正込み）を参照するように制御されているので、輝度・濃度変換γテーブル格納メモリ４２から輝度・濃度変換γテーブル（輝度補正込み）を参照して、画像データＤ２の読取輝度から出力濃度へ変換し、画像データＤoutを出力する。
【０１０６】
このように、第１の実施例としてのスキャナ及びその画像処理方法によれば、ＡＤＦモードで原稿が読み取られる場合に、輝度・濃度変換γテーブル（輝度補正なし）の読取輝度から補正輝度を減算し、新しく輝度・濃度変換γテーブル（輝度補正込み）を作成し参照する。
【０１０７】
これにより、ＡＤＦモードによる読取画像のときに発生する読取輝度の低下を補正することができるようになる。従って、当該装置の製造バラツキに左右されることなく、プラテンモード及びＡＤＦモードにおける読取画像レベルの差を無くすことができるようになる。
【０１０８】
続いて、図９で算出された階調補正γテーブルを使用して、スキャナ１００’’における読取画像の階調補正処理について説明する。
【実施例２】
【０１０９】
図１２は、第２の実施例としてのスキャナ１００’’における制御系の構成例を示すブロック図である。図１２に示すスキャナ１００’’は、読取画像の補正処理として、輝度補正処理を実施せずに、階調補正処理のみを実施するため、スキャナ１００の画像処理ブロック３１と比較して、輝度補正部４４及び補正輝度格納メモリ４８が省略される。つまり、スキャナ１００’’は、制御ユニット６b、画像処理ブロック３１b及び操作部３２bを有して構成される。
【０１１０】
図１３は、第２の実施例としてのスキャナ１００’’における階調補正処理例を示すフローチャートである。
【０１１１】
この実施例では、予め作成され保持された階調補正γテーブルに基づき、スキャナ１００’’におけるＡＤＦモードの読取階調が補正される場合を前提とする。この例で、階調補正γテーブルの算出は、当該スキャナ１００’’の製造過程、あるいは当該スキャナ１００’’をサービスマンによるメンテナンスなどにおいて既に実施されている場合を想定する。
【０１１２】
これらを読取画像の補正処理条件として、図１３に示すフローチャートのステップＳ１で、オペレータがＡＤＦモードで原稿の読み取りをスタートさせると、位置検出センサ（図示しない）は、ＡＤＦモードの位置検出データ（図示しない）をスキャナ１００’’の制御ユニット６bに出力することで、ＡＤＦモードでの画像読取手段であることを通知する。
【０１１３】
続いて、ステップＳ２に移行し、制御ユニット６に送信されたＡＤＦモードの位置検出データは、セレクタ９１に出力され、セレクタ９１は、階調補正部４３に画像データＤ２が出力されるように切り替えられる。続いて、ステップＳ３では、ＡＤＦモードでの原稿の読み取りが開始される。原稿の読み取り方法は、図８のＡＤＦモードでの原稿読取方法と同じなので、ここでは省略する。
【０１１４】
次に、ステップＳ４に移行し、階調補正部４３は、シェーディング補正回路４１から出力された画像データＤ２に対し、階調補正γテーブル格納メモリ４７から階調補正γテーブルを参照して、ＡＤＦモードの読取輝度からプラテンモードの読取輝度へと変換し、画像データＤ３とする。
【０１１５】
その後、ステップＳ５に移行し、輝度・濃度変換部４５は、輝度・濃度γテーブル４６を参照して、画像データＤ３の読取輝度を出力濃度に変換し、画像データＤoutとする。ここでは、輝度・濃度γテーブルには、補正輝度は反映されていない。
【０１１６】
このように、第２の実施例としてのスキャナ及びその画像処理方法によれば、ＡＤＦモードで原稿が読み取られる場合に、階調補正部４３は、階調補正γテーブルを参照してＡＤＦモードの読取輝度をプラテンモードの読取輝度に変換するようになされる。
【０１１７】
これにより、ＡＤＦモードによる読取画像のときに発生する読取階調の低下を補正することができる。従って、当該装置の製造バラツキに左右されることなく、プラテンモード及びＡＤＦモードにおける読取画像レベルの差を無くすことができるようになる。
【０１１８】
続いて、スキャナ１００における第１及び第２補正モードの選択機能について図２に示したスキャナ１００の構成例を参照しながら説明をする。
【実施例３】
【０１１９】
図１４は、第３の実施例としてのスキャナ１００における読取画像の補正処理の選択例を示すフローチャートである。
【０１２０】
この実施例では、スキャナ１００における第１及び第２補正モードの選択機能を利用して、読取画像の輝度補正及び階調補正処理を選択する場合を例に挙げる。この例では、第１の補正モードが選択されると輝度補正処理が実施され、第２の補正モードが選択されると階調補正処理が実施される。この場合、第１の補正モードが選択された時点で輝度・濃度変換γテーブル（補正込み）が作成され、このテーブルを参照することによって輝度補正が実施される場合を前提とする。なお、図２に示した操作パネル７の操作ボタンを操作することにより、第１の補正モード又は第２の補正モードが選択される。
【０１２１】
これらを補正処理条件にして、まず、図１４に示すフローチャートのステップＷ１で、オペレータは、当該スキャナ１００を操作パネル７で第１の補正モードを選択すると、操作データＤiが、操作部３２から輝度・濃度変換部４５及びセレクタ９１に送信される。
【０１２２】
次に、ステップＷ２へ移行し、操作データＤiを受信したセレクタ９１は、プラテンモード及びＡＤＦモードの画像データＤ２を輝度・濃度変換部４５に出力するように設定される。つまり、階調補正は実施されないので、セレクタ９１は、ＡＤＦモードの画像データＤ２を受信しても、階調補正部４５に出力しないようになされる。
【０１２３】
操作データＤiを受信した輝度・濃度変換部４５は、輝度補正部４４にＡＤＦモード用の輝度・濃度変換γテーブル（輝度補正込み）を作成するように要求し、作成されたテーブルを参照するように設定される。要求を受けた輝度補正部４４は、補正輝度格納メモリ４８から補正輝度を読み出し、輝度・濃度変換γテーブル格納メモリ４６から輝度・濃度変換γテーブル（輝度補正なし）を参照し、輝度・濃度変換γテーブルの読取輝度（０〜１０２４）に対して補正輝度を減算する。減算された読取輝度に対応する出力濃度はプラテンモードの出力濃度がそのまま使用されて輝度・濃度変換γテーブル（輝度補正込み）が作成され、輝度・濃度変換γテーブル格納メモリ４６の空き領域に保存される。
【０１２４】
これにより、実施例１では、ＡＤＦモードで原稿が読み取られる度に、輝度・濃度変換γテーブル（輝度補正込み）が新しく作成されていたが、実施例３では、第１の補正モードが設定された場合にのみ輝度・濃度変換γテーブル（輝度補正込み）が作成されるので、リソースを有効に利用することができるようになる。
【０１２５】
続いて、ステップＷ１で、オペレータは、当該スキャナ１００を操作パネル７で第２の補正モードを選択すると、操作データＤjが、操作部３２から輝度・濃度変換部４５及びセレクタ９１に送信される。
【０１２６】
次にステップＷ４へ移行し、操作データＤjを受信したセレクタ９１は、ＡＤＦモードの画像データＤ２を階調補正部４３に出力するように設定される。階調補正部４３は、画像データＤ２に対して階調補正γテーブルを参照して階調補正を実施する。操作データＤjを受信した輝度・濃度変換部４５は、輝度・濃度変換γテーブル（輝度補正なし）を参照するように設定される。
【０１２７】
これにより、スキャナ１００において第１補正モード及び第２補正モードの補正処理の選択が可能となる。従って、当該装置の製造バラツキに左右されることなく、プラテンモード及びＡＤＦモードにおける読取画像レベルの差を無くすことができるようになる。
【０１２８】
次に、第１の補正モードが選択された時点で輝度・濃度変換γテーブル（補正込み）が作成され、このテーブルを参照することによって輝度補正が実施される処理について説明する。
【０１２９】
図１５は、第３の実施例としてのスキャナ１００における輝度補正処理例（輝度・濃度変換γテーブル（輝度補正込み）を作成しない）を示すフローチャートである。この実施例では、スキャナ１００のＡＤＦモードの読取輝度を補正輝度格納メモリ４８に保存されている補正輝度を用いて、既に輝度・濃度変換γテーブル（輝度補正込み）が作成されることを前提とする。
【０１３０】
また、補正輝度の算出は、当該スキャナ１００の製造過程、あるいは当該スキャナ１００をサービスマンによるメンテナンスなどにおいて実施されおり、第１の補正モードが設定されている場合を想定する。
【０１３１】
これらを読取画像の補正処理条件として、図１５に示すフローチャートのステップＶ１で、オペレータがＡＤＦモードで原稿の読み取りをスタートさせると、位置検出センサ（図示しない）は、ＡＤＦモードの位置検出データ（図示しない）をスキャナ１００の制御ユニット６に出力することで、ＡＤＦモードでの画像読取手段であることを通知する。
【０１３２】
続いて、ステップＶ２に移行し、制御ユニット６に送信されたＡＤＦモードの位置検出データは、輝度・濃度変換部４５に出力される。輝度・濃度変換部４５は、ＡＤＦモードの輝度補正を実施する場合に、輝度・濃度変換γテーブル格納メモリ４２から、第１の補正モードが設定された際に作成された輝度・濃度変換γテーブル（輝度補正込み）を参照するようになされる。
【０１３３】
これにより、ＡＤＦモードで原稿が読み取られる場合に、その都度、輝度・濃度変換γテーブル（輝度補正込み）が作成されるのではなく、第１の補正モード設定時に輝度・濃度変換γテーブル（輝度補正込み）が作成されるだけなので、テーブルの作成頻度を極めて少なくすることができる。
【０１３４】
ステップＶ３では、ＡＤＦモードで原稿の読み取りが開始される。原稿の読み取り方法は、図８のＡＤＦモードでの原稿読取方法と同じなので、ここでは省略する。
【０１３５】
その後、ステップＶ４に移行し、輝度・濃度変換部４５は、シェーディング補正回路４１から出力された画像データＤ２に対し、輝度・濃度変換γテーブル格納メモリ４２から輝度・濃度変換γテーブル（輝度補正込み）を参照して、画像データＤ２の読取輝度から出力濃度へ変換し、画像データＤoutを出力する。
【０１３６】
このように、第３の実施例としてのスキャナ及びその画像処理方法によれば、輝度補正が実施される場合に、ＡＤＦモードで原稿が読み取られる度に輝度・濃度変換γテーブル（輝度補正込み）が作成されるのではなく、第１の補正モード設定時に輝度・濃度変換γテーブル（輝度補正込み）が作成される。その後は、作成されたテーブルを参照することによって輝度補正が実施される。従って、テーブルの作成頻度を極めて少なくすることができ、スキャナ１００のリソースを有効に利用することができる。
【産業上の利用可能性】
【０１３７】
本発明は、原稿搬送機能を備えたスキャナ、デジタル複写機及びそれらの複合機などに適用して好適である。
【図面の簡単な説明】
【０１３８】
【図１】本発明に係る各実施例としてのスキャナ１００の構成例を示す概念図である。
【図２】スキャナ１００の制御系の構成例を示すブロック図である。
【図３】濃度パッチが並べられた補正用原稿の構成例を示す概念図である。
【図４】プラテンモードに対してＡＤＦモードにおける読取輝度の低下イメージ例を示す図である。
【図５】プラテンモード及びＡＤＦモードにおける輝度・濃度変換γテーブル例を示す図である。
【図６】原稿輝度と読取輝度（プラテンモード及びＡＤＦモード）の関係から階調特性テーブル例を示す図である。
【図７】プラテンモード及びＡＤＦモードの読取輝度の関係を表す階調補正γテーブル例を示す図である。
【図８】スキャナ１００における補正輝度の算出例を示すフローチャートである。
【図９】スキャナ１００における階調補正γテーブル作成例を示すフローチャートである。
【図１０】第１の実施例としてのスキャナ１００’における制御系の構成例を示すブロック図である。
【図１１】第１の実施例としてのスキャナ１００’における輝度補正処理例を示すフローチャートである。
【図１２】第２の実施例としてのスキャナ１００’’における制御系の構成例を示すブロック図である。
【図１３】第２の実施例としてのスキャナ１００’’における階調補正処理例を示すフローチャートである。
【図１４】第３の実施例としてのスキャナ１００における読取画像の補正処理（輝度補正及び階調補正）の選択例を示すフローチャートである。
【図１５】第３の実施例としてのスキャナ１００における輝度補正処理例（輝度・濃度変換γテーブル（輝度補正込み）を作成しない）を示すフローチャートである。
【符号の説明】
【０１３９】
１  原稿搬送装置
２  防塵ガラス
３  プラテンガラス
５  撮像装置
６  制御ユニット
７  操作パネル
１３  ガイド板
２０  導体コート
２１  原稿ガラス
３０  画像読取ブロック
３１  画像処理ブロック
４２  演算部
４３  階調補正部
４４  輝度補正部
４５  輝度・濃度変換部
４６  輝度・濃度変換γテーブル格納メモリ
４７  階調補正γテーブル格納メモリ
４８  補正輝度格納メモリ
１００  スキャナ（画像読取装置）
【図１】
2007019763.tif 000003
【図２】
2007019763.tif 000004
【図３】
2007019763.tif 000005
【図４】
2007019763.tif 000006
【図５】
2007019763.tif 000007
【図６】
2007019763.tif 000008
【図７】
2007019763.tif 000009
【図８】
2007019763.tif 000010
【図９】
2007019763.tif 000011
【図１０】
2007019763.tif 000012
【図１１】
2007019763.tif 000013
【図１２】
2007019763.tif 000014
【図１３】
2007019763.tif 000015
【図１４】
2007019763.tif 000016
【図１５】
2007019763.tif 000017